(57)【要約】【課題】本考案の目的は、暗所において装着者の身分、役割、又はメッセージを看者に視認させるとともに、通気性の優れた腕章を提供することである。【解決手段】本考案による腕章１は、メッシュ状の素材で形成された帯状の腕章本体１０と、腕章本体１０の表面に形成され、文字、記号、図形のいずれか又は全てを含む情報として視認可能な情報表示部１３とを具備する。情報表示部１３は、再帰反射材を有する。【選択図】図１
0003134293.tif 000002
【実用新案登録請求の範囲】
【請求項１】
メッシュ状の素材で形成された帯状の腕章本体と、
前記腕章本体の表面に形成され、文字、記号、図形のいずれか又は全てを含む情報として視認可能な情報表示部と、
を具備し、
前記情報表示部は、再帰反射材を有する
腕章。
【請求項２】
請求項１に記載の腕章において、
ユーザの腕に前記腕章本体を装着するための装着具を更に具備し、
前記装着具は、前記腕章本体の外縁部において前記情報表示部に隣接する部分に接続される
腕章。
【請求項３】
請求項１又は２に記載の腕章において、
前記腕章本体は、ラッセル織りによって形成されるメッシュ状の素材である
腕章。
【請求項４】
請求項１から３いずれか１項に記載の腕章において、
前記情報表示部の表面は、ガラスビーズによって再帰反射する再帰反射材を有する
腕章。
【請求項５】
請求項１から３いずれか１項に記載の腕章において、
前記情報表示部の表面は、マイクロプリズムによって再帰反射する再帰反射材を有する
腕章。
【考案の詳細な説明】
【技術分野】
【０００１】
本考案は、腕章に関する。
【背景技術】
【０００２】
腕章は、装着者の身分や役割を周囲の人に認知させるために利用される。又、腕章に書き込まれた文字、記号、図形等によって周囲の人にメッセージを伝えることも可能である。例えば、町内をパトロールする人が装着する腕章には、「○○自警団」や「防犯」、「パトロール中」といった文字が付けられる。このような腕章は、距離の遠近、昼夜に関わらず、視認可能である必要がある。特に、暗所において腕章に記載された文字や記号、あるいは図形を容易に読み取らせるための技術は重要である。
【０００３】
一方、腕章の装着部分は通気性が悪く、特に暑い時期には、装着部分が蒸れて汗ばみ、装着者は不快な思いをしていた。このため、メッシュ生地を利用することで通気性を良くし、快適な装着感を得ることができる腕章が、特開平１１−７３１１３号公報（特許文献１参照）や、特開２００３−１５９１０４号公報（特許文献２参照）に記載されている。
【０００４】
特許文献１に記載の長尺腕章は、肩と腕の境から手首まで覆うように形成され、全体又は一部にメッシュ生地を使用している。又、使用者の存在を容易に認識させるため、長尺腕章の表面には反射テープがらせん状に貼られる。しかし、特許文献１に記載の長尺腕章では、使用者の存在を容易に認識させる工夫はあるものの、腕章の装着者の身分や役割、又はメッセージを伝達するための情報を周囲の人に容易に視認させることができない。特許文献１には、長尺腕章の上に、交通腕章を装着することで、交通腕章のみを装着した場合に比べ、装着者の側面を容易に認識することができることが記載されている。すなわち、特許文献１の技術において、腕章の装着者の身分や役割を示すためには交通腕章のような他の腕章を付ける必要がある。上述のように、交通腕章（従来技術による腕章）の通気性は悪いため、装着者は不快な思いをしてしまう。
【０００５】
特許文献２に記載の腕章は、通気性を確保するために腕章の身体に接する部分にメッシュ生地を使用している。しかし、腕章の外側表面は薄地の素材を用いているため、腕章の外側と内側との通気性が遮断される。しかし、メッシュ生地がない場合に比べて、装着部の温度や湿度は軽減されるが、装着部以外の部分に比べて温度や湿度は高く、装着部分に対する不快感は排除されない。
【０００６】
【特許文献１】特開平１１−７３１１３号公報
【特許文献２】特開２００３−１５９１０４号公報
【考案の開示】
【考案が解決しようとする課題】
【０００７】
本考案の目的は、暗所において装着者の身分、役割、又はメッセージを看者に視認させるとともに、通気性の優れた腕章を提供することである。
【課題を解決するための手段】
【０００８】
以下に、（考案を実施するための最良の形態）で使用される番号を用いて、課題を解決するための手段を説明する。これらの番号は、（実用新案登録請求の範囲）の記載と（考案を実施するための最良の形態）との対応関係を明らかにするために付加されたものである。ただし、それらの番号を、（実用新案登録請求の範囲）に記載されている考案の技術的範囲の解釈に用いてはならない。
【０００９】
本考案による腕章（１）は、メッシュ状の素材で形成された帯状の腕章本体（１０）と、腕章本体（１０）の表面に形成され、文字、記号、図形のいずれか又は全てを含む情報として視認可能な情報表示部（１３）とを具備する。ここで、情報表示部（１３）は、再帰反射材を有する。
【００１０】
本考案による腕章（１）は、ユーザの腕に腕章本体（１）を装着するための装着具（１６）を更に具備する。この際、装着具（１６）は、腕章本体（１）の外縁部において情報表示部（１３）に隣接する部分に接続されることが好ましい。
【００１１】
又、腕章本体（１０）は、ラッセル織りによって形成されるメッシュ状の素材であることが好ましい。
【００１２】
又、情報表示部（１３）の表面は、ガラスビーズ又はマイクロプリズムによって再帰反射する再帰反射材を有することが好ましい。
【考案の効果】
【００１３】
本考案によれば、暗所において装着者の身分、役割、又はメッセージを看者に視認させるとともに、通気性の優れた腕章が提供される。
【考案を実施するための最良の形態】
【００１４】
添付図面を参照して、本考案による腕章を実施するための最良の形態を以下に説明する。
【００１５】
（構成）
図１は、本考案による腕章１の表側面を示す上面図である。図２は、本考案による腕章１の裏側面を示す平面図である。図１及び図２を参照して、本考案による腕章１は、帯状の腕章本体１０と、腕章本体１０を円筒状に保持するための止め具１１、１２と、文字、記号、又は図形のいずれか又は全部を含む情報表示部１３と、腕章本体１０の外縁部を補強する外縁補強部１４と、腕章１を身体（例えば腕）に装着するための装着具１６と、装着具１６と外縁補強部１４とを接続する接続部１５とを具備する。
【００１６】
腕章本体１０は、メッシュ状の素材で形成される。腕章本体１０の色は、昼間において看者の目を引く蛍光色であることが好ましい。あるいは、反射率の高い色で着色されていることが好ましい。腕章本体の素材は、ポリエステルやナイロン等の化学繊維でも、棉や麻等の天然繊維でもどちらでも良い。腕章本体１０におけるメッシュの開き目の大きさや糸の太さは、腕章１の装着時に通気性を確保する程度の大きさであることが好ましい。又、腕章本体１０の織り方は、平織りでも綾織りでも良いが、耐久性に優れたラッセル織りが好ましい。
【００１７】
図１を参照して、腕章本体１０の表側面上には、情報表示部１３が形成されている。腕章本体１０には情報表示部１３として文字や記号、あるいは図形が形成される。これにより装着者の身分や役割、あるいはメッセージ等の情報が表示される。情報表示部１３の一部又は全部は再帰反射材で形成される。再帰反射材はガラスビーズによる反射材やマイクロプリズムによる反射材が好適に利用され得る。情報表示部１３は光の再帰反射によって浮き出して見える。このため、看者は、暗所においても腕章１（情報表示部１３）が示す情報を容易に認識することが可能となる。
【００１８】
情報表示部１３として腕章１に付される文字や記号は、例えば「防犯」、「交通安全」、「火の用心！」等の周囲の人に注意喚起を与えるようなメッセージや、「消防」や「警察」等の腕章１の装着者の身分や役割を示す情報である。又、情報表示部１３としての腕章１に付される図形は、例えば放射性物質の危険を示すシンボルマーク等である。
【００１９】
図１及び図２を参照して、腕章本体１０の表側面における一方の端部領域に止め具１１が形成され、腕章本体１０の裏面側における他方の端部領域に止め具１２が形成される。止め具１１と止め具１２は、相互に脱着可能に接続され、図３に示すように腕章１を円筒状に保持する。この際、腕章１は、止め具１１側（表側面）が外周面となり、止め具１２側（裏面側）が外周面となる円筒形を形成する。止め具１１と止め具１２の形状や数は、腕章１０を円筒状に保持できれば、その形状、数に限りはない。例えば、止め具１１、１２は面ファスナが好適に利用される。
【００２０】
外縁補強部１４は、腕章本体１０より目の細かな生地によって腕章本体１０の外縁部を覆うように形成される。外縁補強部１４によって腕章本体１０の外縁部に生じる解れを防止することができる。これにより腕章１の強度が向上する。
【００２１】
接続部１５は、外縁補強部１４の任意の場所に設けられる。装着具１６と接続部１５は、脱着可能に取り付けられても、固定的に接続されていてもどちらでも良い。又、装着具１６は、腕章１を装着者の身体（腕）又は、服に装着する。装着具１６は安全ピンやボタン、あるいは布地に接着可能な面ファスナーが好適である。あるいは、輪状のゴム紐でも良い。この際、接続部１５は、外縁補強部１４において情報表示部１３に隣接する場所に設けられることが好ましい。通常、使用者は腕章を装着する際、図４のように装着具１６を腕の外側（身体に対して反対側）に取り付ける。このため、接続部１５（装着具１６）が情報表示部１３に隣接している場合、情報表示部１３が示す文字や記号等は外側に向けられた状態となる。更に、情報表示部１３内に含まれる文字が、図１に示すように腕章本体１０の長手方向横書きの場合、接続部１５は文字の上部における外縁補強部１４に設けられることが好ましい。これにより、使用者は、図４のように文字の上部が肩側になるように腕章１を装着することができる。
【００２２】
以上のように、本考案によれば、通気性を確保しつつ腕章に設けられた文字や記号、あるいは図形等が視認容易となる。従来では、酷暑下において腕章を装着する際、装着部における汗ばみ不快感が生じていたが、本考案によれば、装着部とその他の部分の温度差が緩和され不快感が軽減される。又、腕章に付される情報表示部１３の一部又は全部が再帰反射材で形成されているため、夜間でも腕章に付された情報（文字、記号、図形）を容易に視認することができる。このため、腕章の装着者の身分や役割を夜間においても容易に知ることができる。例えば、パトロールをする人が本考案による腕章１を装着した場合、酷暑下においても快適に腕章を装着できるとともに、周囲の人は情報表示部１３（例えば「防犯」の文字を備える）によって容易にパトロール中であることを確認できる。
【００２３】
以上、本考案の実施の形態を詳述してきたが、具体的な構成は上記実施の形態に限られるものではなく、本考案の要旨を逸脱しない範囲の変更があっても本考案に含まれる。
【図面の簡単な説明】
【００２４】
【図１】図１は、本考案による腕章の表側面を示す図である。
【図２】図２は、本考案による腕章の裏側面を示す図である。
【図３】図３は、本考案による腕章を円筒状に形成させた時の斜視図である。
【図４】図４は、本考案による腕章を腕に装着した状態を示す図である。
【符号の説明】
【００２５】
１：腕章
１０：腕章本体
１１、１２：止め具
１３：情報表示部
１４：外縁補強部
１５：接続部
１６：装着具
【図１】
0003134293.tif 000003
【図２】
0003134293.tif 000004
【図３】
0003134293.tif 000005
【図４】
0003134293.tif 000006